(57)【要約】【課題】放熱性能が高い屋根上機能パネルの冷却構造を提供する。【解決手段】屋根下地材１０の上面に金属製の凹凸屋根パネル２が設けられ、凹凸屋根パネル２の上面にフレーム３が設けられ、フレーム３に固定される屋根上機能パネル４の冷却構造である。フレーム３および屋根上機能パネル４と凹凸屋根パネル２の間と、凹凸屋根パネル２と屋根下地材１０との間が通気隙間５となり、凹凸屋根パネル２のフレーム３および屋根上機能パネル４が設けられた部分からの放熱を促進させる放熱促進部７が設けられる。【選択図】図１
2013221256.tif 000002
【特許請求の範囲】
【請求項１】
屋根下地材の上面に金属製の凹凸屋根パネルが設けられ、前記凹凸屋根パネルの上面にフレームが設けられ、前記フレームに固定される屋根上機能パネルの冷却構造であって、前記フレームおよび前記屋根上機能パネルと前記凹凸屋根パネルの間と、前記凹凸屋根パネルと前記屋根下地材との間が通気隙間となり、前記凹凸屋根パネルの前記フレームおよび前記屋根上機能パネルが設けられた部分からの放熱を促進させる放熱促進部が設けられることを特徴とする屋根上機能パネルの冷却構造。
【請求項２】
前記放熱促進部が、前記凹凸屋根パネルにおける、前記フレームおよび前記屋根上機能パネルが設けられた部分の周囲の光の反射率を向上させる反射増加部であることを特徴とする請求項１記載の屋根上機能パネルの冷却構造。
【請求項３】
前記放熱促進部が、前記凹凸屋根パネルにおける、前記フレームおよび前記屋根上機能パネルが設けられた部分の周囲に照射される光を遮蔽する光遮蔽部であることを特徴とする請求項１又は２記載の屋根上機能パネルの冷却構造。
【請求項４】
前記放熱促進部が、前記凹凸屋根パネルにおける、前記フレームおよび前記屋根上機能パネルが設けられた部分からその周囲への熱伝導を促進させる熱伝導促進部であることを特徴とする請求項１乃至３のいずれか一項に記載の屋根上機能パネルの冷却構造。
【発明の詳細な説明】
【技術分野】
【０００１】
本発明は、屋根上機能パネルの冷却構造に関するものである。
【背景技術】
【０００２】
従来、屋根の上面に、例えば太陽光発電パネル等の屋根上機能パネルが設置されるものがあった（例えば特許文献１参照）。
【先行技術文献】
【特許文献】
【０００３】
【特許文献１】特開１１−１０７４６０号公報
【発明の概要】
【発明が解決しようとする課題】
【０００４】
この特許文献１に示される従来例にあっては、図５に示すように、屋根材１に固定具（不図示）が固定され、この固定具にフレーム３を介して太陽光発電パネル等の冷却を要する屋根上機能パネル４が取り付けられるものである。
【０００５】
しかしながら、屋根材１とフレーム３と屋根上機能パネル４とで囲まれる空間３０に熱気が滞留する上、熱伝導や放射による放熱もされ難く、放熱性能が低いものであった。
【０００６】
本発明は上記従来の問題点に鑑みて発明したものであって、その目的とするところは、放熱性能が高い屋根上機能パネルの冷却構造を提供することを課題とするものである。
【課題を解決するための手段】
【０００７】
上記課題を解決するために、本発明は、以下のような構成とする。
【０００８】
屋根下地材の上面に金属製の凹凸屋根パネルが設けられ、前記凹凸屋根パネルの上面にフレームが設けられ、前記フレームに固定される屋根上機能パネルの冷却構造であって、前記フレームおよび前記屋根上機能パネルと前記凹凸屋根パネルの間と、前記凹凸屋根パネルと前記屋根下地材との間が通気隙間となり、前記凹凸屋根パネルの前記フレームおよび前記屋根上機能パネルが設けられた部分からの放熱を促進させる放熱促進部が設けられることを特徴とする。
【０００９】
前記放熱促進部が、前記凹凸屋根パネルにおける、前記フレームおよび前記屋根上機能パネルが設けられた部分の周囲の光の反射率を向上させる反射増加部であることを特徴とする。
【００１０】
前記放熱促進部が、前記凹凸屋根パネルにおける、前記フレームおよび前記屋根上機能パネルが設けられた部分の周囲に照射される光を遮蔽する光遮蔽部であることを特徴とする。
【００１１】
前記放熱促進部が、前記凹凸屋根パネルにおける、前記フレームおよび前記屋根上機能パネルが設けられた部分からその周囲への熱伝導を促進させる熱伝導促進部であることを特徴とする。
【発明の効果】
【００１２】
本発明にあっては、凹凸屋根パネルの屋根上機能パネルが設けられた部分からの放熱を促進させるため、屋根上機能パネルの放熱性能が向上する。
【図面の簡単な説明】
【００１３】
【図１】本発明の一実施形態の要部断面図である。
【図２】他の実施形態の要部断面図である。
【図３】更に他の実施形態の要部断面図である。
【図４】更に他の実施形態の要部断面図である。
【図５】従来例の要部断面図である。
【発明を実施するための形態】
【００１４】
以下、本発明の一実施形態について図１に基いて説明する。
【００１５】
屋根下地材１０は、断熱材１１上に野地板１２が設けられて構成される。そして、野地板１２上に窯業系の凹凸屋根パネル２が載置されて屋根材１が構成されているが、特に限定されない。野地板１２は、ボルトや釘が打ち込み可能な材質（主に木材）からなるもので、軒棟方向に単調に傾斜して配置されている。
【００１６】
凹凸屋根パネル２は、金属製の板材からなるもので、本実施形態ではガルバニウム鋼板が屈曲されて構成される。凹凸屋根パネル２は、下方に開口し上方に凸となる凸部２１と、上方に開口し上方に凹となる凹部２２と、が軒方向に交互に形成される。この凹凸屋根パネル２は、凹部２２の底部が野地板１２上に載置されて、底部を貫通して釘等の固着具が野地板１２に打ち込まれたり、底部に形成された固着具挿通孔を介して、釘やボルト等の固着具が野地板１２に固定される。
【００１７】
凹凸屋根パネル２の上面に、フレーム３を介して屋根上機能パネル４が取り付けられる。屋根上機能パネル４は、本実施形態では太陽光発電パネルのようなもので、高温下では発電効率が低下するため、冷却が必要となるものである。フレーム３は、屋根上機能パネル４の周囲から下方に向けて設けられ、屋根上機能パネル４を支持するものである。このフレーム３は、凹凸屋根パネル２の上面に設けられるが、凹凸屋根パネル２に固定されなくてもよく、屋根下地材１に支持具（不図示）が固定され、この支持具にフレーム３が固定されてもよい。
【００１８】
なお、屋根上機能パネル４は太陽光発電パネルに限定されず、冷却を要するものであればよい。また、フレーム３は、屋根上機能パネル４の全周に設けられていなくても、周囲に部分的に設けられていてもよい。
【００１９】
上記のように凹凸屋根パネル２上に設けられたフレーム３および屋根上機能パネル４と、凹凸屋根パネル２の間は、通気隙間５となる。さらに、凹凸屋根パネル２と屋根下地材１との間、すなわち、凹凸屋根パネル２の凸部２１と屋根下地材１との間も通気隙間６となる。
【００２０】
このように、通気隙間５が形成されることで、フレーム３および屋根上機能パネル４で囲まれる空間３０に滞留しがちであった熱気が、通気隙間５を流通する気流により流される。これにより、フレーム３および屋根上機能パネル４で囲まれる空間３０の温度が低下し易くなる。また、通気隙間６が形成されることで、凸部２１を介して通気隙間５から通気隙間６に熱が伝達され、フレーム３および屋根上機能パネル４で囲まれる空間３０の温度がより一層低下し易くなる。
【００２１】
本実施形態では、凹凸屋根パネル２のフレーム３および屋根上機能パネル４が設けられた部分からの放熱を促進させる放熱促進部７としての反射増加部７１が設けられる。反射増加部７１は、凹凸屋根パネル２における、フレーム３および屋根上機能パネル４が設けられた部分の周囲（以下、単に周囲という）の光の反射率を向上させるものである。反射増加部７１は、高反射材の塗装や、金属箔や金属板により形成される。
【００２２】
通常の凹凸屋根パネル２は、日光の反射率が８０％程度であるところ、反射増加部７１が設けられることで、日光の反射率が９０％程度に向上する。これに伴い、周囲の日光による温度上昇が抑えられ、凹凸屋根パネル２のフレーム３および屋根上機能パネル４が設けられた部分からの熱伝導が促進される。これにより、フレーム３および屋根上機能パネル４で囲まれる空間３０の冷却効果が向上する。
【００２３】
次に、他の実施形態について図２に基づいて説明する。本実施形態においては、上記図１に示す実施形態と同じ構成については説明を省略し、主に異なる構成について説明する。
【００２４】
本実施形態では、放熱促進部７として、反射増加部７１の代わりに光遮蔽部７２が設けられる。光遮蔽部７２は、凹凸屋根パネル２における、フレーム３および屋根上機能パネル４が設けられた部分の周囲に照射される光（主に日光）を遮蔽するものである。光遮蔽部７２は、フレーム３の周囲にフランジ状に設けられるもので、光を遮蔽するかあるいは光透過率が極めて低いものである。
【００２５】
これにより、周囲の日光による温度上昇が抑えられ、凹凸屋根パネル２のフレーム３および屋根上機能パネル４が設けられた部分からの熱伝導が促進される。これにより、フレーム３および屋根上機能パネル４で囲まれる空間３０の冷却効果が向上する。
【００２６】
なお、図１に示す反射増加部７１に加えて、光遮蔽部７２が設けられてもよい。
【００２７】
次に、更に他の実施形態について図３に基づいて説明する。本実施形態においては、上記図１に示す実施形態と同じ構成については説明を省略し、主に異なる構成について説明する。
【００２８】
本実施形態では、放熱促進部７として、反射増加部７１の代わりに熱伝導促進部７３が設けられる。熱伝導促進部７３は、凹凸屋根パネル２における、フレーム３および屋根上機能パネル４が設けられた部分の周囲への熱伝導を促進させるものである。熱伝導促進部７３は、本実施形態では周囲の部分の下面（すなわち周囲の部分の凸部２１および凹部２２の下面）にアルミニウムテープが貼付されて構成されているが、特にアルミニウムテープに限定されない。
【００２９】
これにより、凹凸屋根パネル２のフレーム３および屋根上機能パネル４が設けられた部分から周囲への熱伝導が促進される。これにより、フレーム３および屋根上機能パネル４で囲まれる空間３０の冷却効果が向上する。
【００３０】
なお、図１に示す反射増加部７１あるいは図２に示す光遮蔽部７２に加えて熱伝導促進部７３が設けられてもよいし、反射増加部７１および光遮蔽部７２に加えて熱伝導促進部７３が設けられてもよい。
【００３１】
次に、更に他の実施形態について図４に基づいて説明する。本実施形態においては、上記図３に示す実施形態と同じ構成については説明を省略し、主に異なる構成について説明する。
【００３２】
本実施形態では、熱伝導促進部７３として、本実施形態では周囲の部分の下側の屋根下地材１０上にアルミニウムテープが貼付されて構成されているが、特にアルミニウムテープに限定されない。
【００３３】
これにより、凹凸屋根パネル２のフレーム３および屋根上機能パネル４が設けられた部分から周囲への熱伝導が促進される。これにより、フレーム３および屋根上機能パネル４で囲まれる空間３０の冷却効果が向上する。
【００３４】
なお、図１に示す反射増加部７１あるいは図２に示す光遮蔽部７２に加えて熱伝導促進部７３が設けられてもよいし、反射増加部７１および光遮蔽部７２に加えて熱伝導促進部７３が設けられてもよい。
【符号の説明】
【００３５】
１    屋根材
１０  屋根下地材
１１  断熱材
１２  野地板
２    凹凸屋根パネル
２１  凸部
２２  凹部
３    フレーム
３０  空間
４    屋根上機能パネル
５    通気隙間
６    通気隙間
７    放熱促進部
【図１】
2013221256.tif 000003
【図２】
2013221256.tif 000004
【図３】
2013221256.tif 000005
【図４】
2013221256.tif 000006
【図５】
2013221256.tif 000007